(57)【特許請求の範囲】
【請求項１】
建物構造材と、この建物構造材を覆って配置された建物表面材との間に隙間があり、この建物表面材を貫通して建物内に挿入された取付具が前記建物構造材に結合され、前記建物表面材から突出している前記取付具の端部に、前記建物表面材の施工後に取付作業が行われる後付けタイプの建物付設物側の部材が、この建物付設物側の部材が当てがわれる前記建物表面材側への締付力で締付結合される建物付設物の取付構造において、
前記建物構造材と前記建物付設物側の部材との間に前記締付力を受けるための締付力受け体が設けられ、この締付力受け体は、その内部に前記取付具が挿入される筒部と、この筒部の建物構造材側の端部に設けられ、この筒部よりも大径となっているフランジ部とを有し、
前記建物構造材を覆って配置されている前記建物表面材には、前記取付具及び前記締付力受け体を挿入するための貫通孔が形成され、前記フランジ部よりも大径となっているこの貫通孔は、前記建物表面材の配置後であって前記取付具及び前記締付力受け体の挿入前に形成され、
前記貫通孔に挿入された前記取付具が前記建物構造材に結合され、
前記建物構造材から前記建物付設物側の部材までの距離と対応する長さとなっている前記締付力受け体は、前記取付具の前記建物構造材への結合後に、この取付具に案内されて前記貫通孔に前記フランジ部から挿入されているとともに、このフランジ部が前記建物構造材に当接していることを特徴とする建物付設物の取付構造。
【請求項２】
請求項１に記載の建物付設物の取付構造において、前記筒部の前記建物付設物側の端部にもこの筒部よりも大径となっているフランジ部が設けられ、このフランジ部は、前記建物付設物側の部材における前記建物表面材側の面に当接していることを特徴とする建物付設物の取付構造。
【請求項３】
請求項１又は２に記載の建物付設物の取付構造において、前記取付具は、前記締付力受け体の前記筒部の内部に挿入される本体と、この本体の前記建物構造物側の端部にピンで揺動自在に連結され、前記建物構造物に形成された貫通孔に挿入されて前記本体に対し直角状態となることにより、前記建物構造物に係止される係止部材とを有していることを特徴とする建物付設物の取付構造。
【請求項４】
請求項２又は３のいずれかに記載の建物付設物の取付構造において、前記筒部の建物構造材側の端部に設けられた前記フランジ部と、前記建物構造材との間に防水部材が介設されていることを特徴とする建物付設物の取付構造。
【請求項５】
請求項１〜４のいずれかに記載の建物付設物の取付構造において、前記取付具が貫通した前記建物表面材の貫通孔にはシーリング材が充填されるとともに、前記筒部の外周にはこのシーリング材をバックアップするためのバックアップ部材が設けられていることを特徴とする建物付設物の取付構造。
【請求項６】
請求項１〜５のいずれかに記載の建物付設物の取付構造において、前記取付具の長さ方向における前記締付力受け体の長さ寸法が調節自在となっていることを特徴とする建物付設物の取付構造。
【発明の詳細な説明】
【０００１】
【発明の属する技術分野】
本発明は、建物に建物付設物を取り付けるための構造に係り、例えば、バルコニ、ベランダ、テラス、集合住宅用外階段、集合住宅用外廊下、サッシ、戸枠、シャッター装置のシャッターボックスやガイドレール、オーニング装置等の建物付設物の取り付けのために利用できるものである。
【０００２】
【背景技術】
建物付設物となっているバルコニの手摺りの笠木や横桟は、建物構造材に取付具を介して取り付けられる。建物の外壁の施工後にバルコニの取付作業が行われる後付けタイプのバルコニについての取付構造は、建物構造材を覆って配置されている建物表面材を貫通させて取付具を建物内に挿入し、この取付具の先端を建物構造材に結合するとともに、建物表面材から突出している取付具の後端部に、手摺りの笠木や横桟と連結されてバルコニ側の部材となっている連結具を建物表面材側への締付力で締付結合することによって行われるものとなっている。
【０００３】
【発明が解決しようとする課題】
以上において、建物構造材と建物表面材との間には通気層を形成するために、胴縁による隙間が設けられている。このため、前記取付具が配置される位置が通気層用胴縁の位置と一致している場合には、前記締付力をこの通気層用胴縁で受けさせることができるため、この締付力を大きくできるが、前記取付具の配置位置が通気層用胴縁の位置からずれている場合には、建物表面材が変形等するおそれがないように、締付力を加減しなければならない。
【０００４】
本発明の目的は、建物付設物側の部材を取付具に締付結合するための締付力を充分大きくして締付作業を行えるようになる建物付設物の取付構造を提供するところにある。
【０００５】
【課題を解決するための手段】
本発明に係る建物付設物の取付構造は、建物構造材と、この建物構造材を覆って配置された建物表面材との間に隙間があり、この建物表面材を貫通して建物内に挿入された取付具が前記建物構造材に結合され、前記建物表面材から突出している前記取付具の端部に建物付設物側の部材が前記建物表面材側への締付力で締付結合される建物付設物の取付構造において、前記建物構造材と前記建物付設物側の部材との間に前記締付力を受けるための締付力受け体を設けたことを特徴とするものである。
【０００６】
この建物付設物の取付構造では、建物構造材と建物付設物側の部材との間に、建物表面材から突出している取付具の端部に建物付設物側の部材を締付結合するための締付力を受ける締付力受け体を設けたため、この締付結合を大きな締付力で行っても、締付力が締付力受け体で受けられることになって、建物表面材が変形等するおそれはなく、このため、建物付設物側の部材を取付具に締付結合するための建物表面材側への締付力を充分大きくして締付作業を行えるようになる。
【０００７】
この建物付設物の取付構造において、建物表面材への締付力で取付具に締付結合される建物付設物側の部材は、建物付設物自体の部材でもよく、建物付設物と取付具との間に配置され、建物付設物に連結される連結具等の部材でもよい。
【０００８】
また、建物構造材と建物付設物側の部材との間に設けられて締付力を受けるための締付力受け体は、前記取付具から離間して又は取付具に近接して設けられるブロック状や板状等のものでもよく、また、少なくとも一部が筒部となっていて、この筒部の内部に取付具が挿入されるようになっているものでよい。
【０００９】
後者によると、取付具を建物構造材に結合した後に筒部を取付具の外周に嵌合することにより、簡単に締付力受け体を建物構造材と建物付設物側の部材との間に設ける作業を行えるとともに、取付具で位置ずれを防止して締付力受け体を所定位置に設けることができるようになる。
【００１０】
後者のように締付力受け体の少なくとも一部を筒部とする場合において、その筒部は断面円形のものでもよく、断面三角形や断面四角形等の断面角形のものでもよく、また、ブロック形状等に形成された部材に貫通孔を形成したものでもよい。
【００１１】
また、締付力受け体の少なくとも一部を筒部とする場合には、この筒部の少なくとも一方の端部にフランジ部を設けてもよい。
【００１２】
これによると、フランジ部が設けられた筒部の端部はこのフランジ部によって大きい面積を有するものとなるため、フランジ部で前記締付力を受ける受圧面積が拡大され、締付力を一層大きくできるようになる。
【００１３】
このフランジ部は筒部の前記建物構造材側の端部と前記建物表面材側の端部との両方に設けてもよいが、取付具が貫通した建物表面材の貫通孔にシーリング材が充填される場合には、筒部の建物表面材側の端部にはフランジ部を設けないことが好ましい。
【００１４】
これによると、フランジ部に邪魔されずにシーリング材の充填作業を行えるようになる。
【００１５】
また、少なくとも一部を筒部とする締付力受け体の一方の端部だけにフランジ部を設ける場合には、このフランジ部を設ける締付力受け体の端部は、締付力受け体の一方の端部に当接する建物構造材と、他方の端部に当接する建物付設物自体の部材又は建物付設物に連結される連結具等の部材とのうち、強度が小さいものに当接する側の締付力受け体の端部とすることが好ましい。
【００１６】
これによると、強度が小さいものが締付力受け部材から受ける締付力によって凹没するなど損傷してしまうのを防止できるようになる。
【００１７】
また、建物構造材に結合される取付具はこの建物構造材を貫通するものでもよく、建物構造材を貫通しないものでもよい。
【００１８】
取付具が建物構造材を貫通するものである場合及び建物構造材を貫通しないものである場合の両方において、締付力受け体の前記筒部における建物構造材側の端部と建物構造材との間に防水部材を介設することが好ましい。
【００１９】
これにより、取付具が建物構造材を貫通するものである場合には、取付具が挿通されている建物構造材の貫通孔を通って雨水等の水分が建物の内部に侵入するのを防水部材によって防止でき、また、取付具が建物構造材を貫通しないものである場合には、取付具が挿入された建物構造材の穴に雨水等の水分が侵入するのを防止できることになる。
【００２０】
また、取付具が貫通した建物表面材の貫通孔にシーリング材が充填される場合には、建物構造材に結合される取付具がこの建物構造材を貫通するものであっても、建物構造材を貫通しないものであっても、締付力受け体の筒部の外周にシーリング材をバックアップするためのバックアップ部材を設けることが好ましい。
【００２１】
これによると、建物表面材の貫通孔に充填されたシーリング材がバックアップ部材でバックアップされるため、このシーリング材が建物構造材と建物表面材との間の隙間に流出してしまうのを防止でき、建物表面材の貫通孔にシーリング材を過不足なく充填できる。
【００２２】
なお、取付具が建物構造材を貫通するものである場合と建物構造材を貫通しないものである場合の両方において、バックアップ部材を柔軟性又は弾力性を有するものであって防水性を有するものとするとともに、バックアップ部材を建物構造材に接触させることにより、バックアップ部材を、取付具が挿通されている建物構造材の貫通孔を通って雨水等の水分が建物の内部に侵入するのを防止するための防水部材や、取付具が挿入された建物構造材の穴に雨水等の水分が侵入するのを防止するための防水部材を兼ねるものとしてもよい。
【００２３】
また、締付力受け体は、前記取付具の長さ方向における長さ寸法が調節自在となっていることが好ましい。
【００２４】
これによると、建物構造材と建物表面材との間の隙間の大きさが異なるなどの理由により、建物構造材から前記建物付設物側の部材までの距離が異なっている種々の建物や同じ建物の各種の場所についても、本発明に係る締付力受け体を用いることができるようになり、締付力受け体は汎用性を具備することになる。
【００２５】
以上において、建物構造材に結合される取付具と、建物構造材と建物付設物側の部材との間に配置されて締付力を受けるための締付力受け体とは、別部材でもよく、一体となったもの、例えば、締付力受け体が取付具の一部となったものでもよい。
【００２６】
後者の場合には、取付具を建物構造材に結合させると、締付力受け体は自ずと所定位置に配置されることになる。
【００２７】
また、以上の本発明に係る建物付設物の取付構造は、任意な建物付設物を建物に取り付けるために利用でき、建物付設物はバルコニでもよく、ベランダでもよく、テラスでもよく、集合住宅用外階段でもよく、集合住宅用外廊下でもよく、さらには、サッシ、戸枠、シャッター装置のシャッターボックスやガイドレール、オーニング装置等でもよい。
【００２８】
【発明の実施の形態】
以下に本発明の一実施形態を図面に基づいて説明する。本実施形態に係る建物付設物はバルコニであり、図１は、このバルコニ１の側面図である。
【００２９】
建物２の外壁２Ａからは、基端が建物内の柱等の構造材に結合されたアーム部材３が突設され、このアーム部材３にボルト・ナット４でバルコニ１の構造材である妻材５が結合されている。このようにアーム部材３を介して建物の構造材に結合された妻材５は、バルコニ１の桁方向（図面上、図１と直交する方向）に複数本あり、互い隣接する妻材５同士の間にバルコニ１の構造材である桁材６が架設されている。これらの妻材５と桁材６で外輪郭が形成されるバルコニ１の床は、根太７の上に床部材であるデッキ材８を載せることにより形成されている。
【００３０】
また、妻材５及び桁材６にバルコニ１の手摺り１０が立設され、この手摺り１０を形成している笠木１１と横桟１２の建物２側の端部は、図１の一部拡大断面図である図２で示すように、バルコニ１側の部材となっている連結具１３と取付具２０を介して建物２の構造材３０に結合されている。この建物構造材３０は柱３１に結合された合板であり、建物構造材３０の建物表面側の面には胴縁３２を介して建物表面材であるサイディング３３が取り付けられ、胴縁３２によって建物構造材３０とサイディング３３との間には通気層のための隙間３４が形成されている。
【００３１】
また、連結具１３は、上下方向に延びる本体部１３Ａと、この本体部１３Ａの上下端部から水平方向に突出する突片部１３Ｂ、１３Ｃとからなるコ字形状である。また、図２のＳ３−Ｓ３線断面図である図３に示されているように、笠木１１は、底板１１Ａに下向きに開口した本体１１Ｂが係合されたものとなっており、横桟１２は、上向きに開口した本体１２Ａの上面開口部にカバー１２Ｂが嵌合されたものとなっている。
【００３２】
図２に示されているように、取付具２０の軸状となっている本体２３の外周には防水部材２１と、締付力受け体である締付力受け部材２２とが嵌合され、これらの防水部材２１と締付力受け部材２２は、建物構造材３０と、貫通孔３３Ａが形成されているサイディング３３の表面に当てがわれた連結具１３との間に配置されている。取付具２０の本体２３は連結具１３の本体部１３Ａに形成されている孔に挿入されているとともに、この本体２３の後端部の雄ねじ部２３Ａは、サイディング３３と連結具１３から建物外側に突出しており、この雄ねじ部２３Ａにナット２５が螺合されて締め付けられることにより、連結具１３は、ナット２５によるサイディング３３側への締付力で取付具２０の本体２３に締付結合されている。
【００３３】
図４は、取付具２０と防水部材２１と締付力受け部材２２の分離時における斜視図である。取付具２０は、後端部が雄ねじ部２３Ａとなっている本体２３と、この本体２３の先端にピン２３Ｂで揺動自在に連結された係止部材２４とからなり、ピン２３Ａによる係止部材２４の連結位置は、係止部材２４の長手方向の中央から一方の端部側へ変位した位置である。防水部材２１は、ゴムや軟質合成樹脂等による弾性材料又は硬質合成樹脂等による硬質材料からなるリング状である。また、締付力受け部材２２は、金属製の筒部２６の両端部に金属製のフランジ部２７，２８を設けたものとなっている。
【００３４】
防水部材２１の締付力受け部材２２側の面には粘着剤が塗布されており、この粘着剤によって防水部材２１は、図２で示すように、締付力受け部材２２の建物構造材３０側のフランジ部２７に取り付けられており、防水部材２１の他方の面に塗布されている粘着剤には、防水部材２１及び締付力受け部材２２がバルコニ１の施工現場に搬送されてバルコニ１の取付作業が施工されるまで、剥離紙が被せられている。
【００３５】
また、取付具２０の長さ方向における防水部材２１を含めた締付力受け部材２２の長さは、図２で示すように、建物構造材３０から連結具１３までの距離、言い換えると、建物構造材３０からサイディング３３の表面までの距離と対応するものになっている。
【００３６】
バルコニ１の手摺り１０の笠木１１と横桟１２を建物２に取り付けるために行う連結具１３及び取付具２０を用いた取付作業は、次ぎのように実施される。
【００３７】
先ず、図２に示すサイディング３３に大径の貫通孔３３Ａを形成し、建物構造材３０には小径の貫通孔３０Ａを形成する。次いで、これらの貫通孔３３Ａ、３０Ａに取付具２０の本体２３及び係止部材２４を挿入する作業を行い、この挿入作業は、係止部材２４を、図４の実線で示すように、本体２３に対して直線的に延びた状態にして行い、係止部材２４が貫通孔３０Ａから突出すると、ピン２３Ｂで長手方向の中央から一方の端部側へ変位した位置で本体２３に揺動自在に連結されていた係止部材２４は、図４の二点鎖線で示すように、自重によりピン２３Ｂを中心に揺動して本体２３に対し直角状態となり、これにより、取付具２０は、図２に示すように、係止部材２４の係止作用によって建物構造材３０に結合されたことになる。
【００３８】
この後、防水部材２１の前記剥離紙を剥離し、サイディング３３から突出している取付具２０の本体２３の後端部に、防水部材２１の中心孔と、この防水部材２１がフランジ部２７に粘着剤で取り付けられている締付力受け部材２２の中心孔とを挿入し、締付力受け部材２２のフランジ部２７，２８よりも大径に形成されているサイディング３３の貫通孔３３Ａにこれらの防水部材２１と締付力受け部材２２を取付具２０の本体２３に案内させて挿入することにより、剥離紙が剥離されて塗布されていた粘着剤が露出している防水部材２１の一方の面を建物構造材３０の押し当て、これにより防水部材２１を粘着剤で建物構造材３０に固定する。
【００３９】
なお、建物構造材３０に結合される前の取付具２０の本体２３の外周に予め防水部材２１と締付力受け部材２２を嵌合しておき、この状態で取付具２０と防水部材２１と締付力受け部材２２をサイディング３３の貫通孔３３Ａに挿入することにより、取付具２０を係止部材２４の係止作用で建物構造材３０に結合するようにしてもよい。
【００４０】
次いで、サイディング３３の貫通孔３３Ａと締付力受け部材２２のフランジ部２８との間の隙間からシーリング材４０を注入し、貫通孔３３Ａにシーリング材４０を充填する。
【００４１】
この後、サイディング３３の貫通孔３３Ａから建物外側に突出している取付具２０の本体２３の後端部と、図２で示された連結具１３の本体部１３Ａに形成されている孔とを一致させ、連結具１３の移動により、連結具１３の本体部１３Ａの孔に取付具２０の本体２３の後端部を挿入し、この挿入後、この後端部に形成されている雄ねじ部２３Ａにナット２５を螺合して締め付ける。これにより、連結具１３はナット２５によるサイディング３３側への締付力で取付具２０の本体２３の後端部に締付結合され、このときの締付力は締付力受け部材２２で受けられる。
【００４２】
このときには、図３で示されている手摺り１０の笠木１１の本体１１Ｂは底板１１Ａから取り外され、横桟１２のカバー１２Ｂは本体１２Ａから取り外されており、そして、連結具１３の上下の突片部１３Ｂ、１３Ｃは、これらの底板１１Ａと本体１２Ａに接触している。底板１１Ａと突片部１３Ｂにはボルト５０の軸部を挿入する孔が形成されており、これらの孔に挿入されて突出したボルト５０の軸部の先端にナット５１を螺合して締め付けることにより、連結具１３と笠木１１の底板１１Ａとが結合される。また、横桟１２の本体１２Ａにはボルト５２の軸部を挿入する孔が形成されており、この孔に挿入されたボルト５２の軸部を連結具１３の突片部１３Ｃに形成されている雌ねじ孔に螺入して締め付けることにより、連結具１３と横桟１２とが結合される。
【００４３】
なお、連結具１３と横桟１２との結合は、連結具１３と笠木１１との結合と同様に、横桟１２の本体１２Ａと突片部１３Ｃに形成した孔にボルト５２の軸部を挿入し、これらの孔から突出したボルト５２の軸部の先端にナットを螺合して締め付けることにより行ってもよい。
【００４４】
この後、笠木１１の底板１１Ａに本体１１Ｂを係合する作業と、横桟１２の本体１２Ａにカバー１２Ｂを嵌合する作業とが行われる。
【００４５】
以上により、笠木１１と横桟１２に結合された連結具１３は、これらの笠木１１や横桟１２で形成されるバルコニ１の手摺り１０側の部材となるとともに、この連結具１３と取付具２０を介して手摺り１０は建物２に取り付けられたことになる。
【００４６】
以上説明した実施形態によると、建物構造材３０とサイディング３３との間に胴縁３２による通気層のための隙間３４が形成され、胴縁３２から外れた位置において取付具２０の本体２３が建物構造材３０に結合され、サイディング３３から建物外側に突出している本体２３の後端部の雄ねじ部２３Ａにナット２５を螺合して締め付けることにより、連結具１３をこの後端部にサイディング３３側への締付力で締付結合しても、建物構造材３０とサイディング３３との間には締付力受け部材２２が配置されているため、隙間３４があっても、ナット２５による締付力を締付力受け部材２２で受けさせることができる。このため、締付力を充分大きくしても、サイディング３３が変形、破損等するおそれはなく、大きな締付力による作業で連結具１３を取付具１３に結合できる。
【００４７】
また、締付力受け部材２２は、取付具２０の本体２３がその内部に挿入される筒部２６を備えたものになっているため、取付具２０を建物構造材３０に結合した後に筒部２６を取付具２０の本体２３の外周に嵌合することができ、この嵌合により、簡単に締付力受け部材２２を取付具２０の位置に配置でき、締付力受け部材２２の位置ずれは取付具２２で防止されるため、ナット２５による締付力を正確に締付力受け部材２２で受けさせることができる。
【００４８】
また、締付力受け部材２２は、筒部２６の両端部に筒部２６の端面よりも大きな面積を有するフランジ部２７，２８が設けられたものとなっており、建物構造材３０に防水部材２１を介して接触するフランジ部２７と連結具１３の本体部１３Ａに接触するフランジ部２８とにより、ナット２５による締付力を受けるための締付力受け部材２２の受圧面積は拡大されているため、締付力を一層大きくできる。
【００４９】
さらに、取付具２０を建物構造材３０に結合するために、取付具２０の本体２３と係止部材２４を挿入するための建物構造材３０に貫通孔３０Ａが形成され、この貫通孔３０Ａに取付具２０の本体２３と係止部材２４が挿入されるようになっていても、締付力受け部材２０の建物構造材３０側の端部と建物構造材３０との間には防水部材２１が介設されているため、貫通孔３０Ａを通って雨水等の水分が建物構造材３０よりも建物内側に侵入するのを防止できる。
【００５０】
図５は、別実施形態に係る締付力受け部材６２を示す。この締付力受け部材６２は、取付具２０の長さ方向に二分割された半体６３，６４からなる。一方の半体６３は、大径の筒部６３Ａと、この筒部６３Ａにおける半体６４とは反対側の端部に設けられたフランジ部６３Ｂとからなり、他方の半体６４は、小径の筒部６４Ａと、この筒部６４Ａにおける半体６３とは反対側の端部に設けられたフランジ部６４Ｂとからなる。筒部６３Ａの内部に筒部６４Ａは挿入自在であり、この挿入量を調整した後、筒部６３Ａに螺入されている止めねじ６３Ｃをねじ込むことによりその挿入量で筒部６３Ａと筒部６４Ａが結合され、締付力受け部材６２についての取付具２０の長さ方向における長さ寸法が調節される。
【００５１】
このように取付具２０の長さ方向における長さ寸法が調節自在となっている締付力受け部材６２は、図２で示す建物構造材３０から連結具１３までの距離Ｌが、隙間３４の大きさやサイディング３３の厚さが異なるために相違している種々の建物や同じ建物の各種の場所について用いることができ、汎用性を有するものとなる。
【００５２】
図６は、別手段によって取付具２０の長さ方向における長さ寸法が調節自在となっている締付力受け部材７２を示す。この締付力受け部材７２も、取付具２０の長さ方向に二分割された半体７３，７４からなるとともに、一方の半体７３は、大径の筒部７３Ａと、この筒部７３Ａにおける半体７４とは反対側の端部に設けられたフランジ部７３Ｂとからなり、他方の半体７４は、小径の筒部７４Ａと、この筒部７４Ａにおける半体７３とは反対側の端部に設けられたフランジ部７４Ｂとからなる。筒部７３Ａの内周面には雌ねじ部７３Ｃが形成され、筒部７４Ａの外周面には雄ねじ部７４Ｃが形成され、雌ねじ部７３Ｃに雄ねじ部７４Ｃを螺入することにより、その螺入量で締付力受け部材７２についての取付具２０の長さ方向における長さ寸法が調節される。
【００５３】
図７は、図２及び図４で示された締付力受け部材２２と異なり、筒部８６の一方の端部のみにフランジ部８７が設けられた締付力受け部材８２を用いている実施形態を示す。すなわち、図７の締付力受け部材８２を拡大して示す図８のとおり、この締付力受け部材８２は、筒部８６と、この筒部８６の建物構造材３０側の端部に設けられたフランジ部８７とからなり、筒部８６のサイディング３３側の端部にフランジ部は設けられていない。
【００５４】
このため、この実施形態によると、図７で示すサイディング３３の貫通孔３３Ａにシーリング材４０を充填するとき、フランジ部が邪魔にならずに容易に充填できる。
【００５５】
図９は、これまでの実施形態と異なり、建物構造材１００が建物の柱となっている場合であり、この建物構造材１００に先端が結合される取付具９０の後端部は、取付具９０と一体となっていて取付具９０を回転させるための頭部９０Ａになっているとともに、取付具９０の少なくとも先端部は、頭部９０Ａを工具で回転させたときに建物構造材１００にねじ込まれるねじ込み部９０Ｂとなっている。
【００５６】
この実施形態では、建物構造材１００に取付具９０を挿通するための貫通孔が形成されていないが、締付力受け部材８２の建物構造材１００側の端部と建物構造材１００との間に防水部材２１が配置されている。
【００５７】
この実施形態では、初めに、頭部９０Ａを残して取付具９０を連結具１３の本体部１３Ａの孔に挿入するとともに、この孔から建物構造材１００側へ突出した取付具９０の部分の外周に締付力受け部材８２を嵌合しておき、次いで、このように予め締付力受け部材８２を備えた状態になっている取付具９０の先端部のねじ込み部９０Ｂを、工具による頭部９０Ａの回転作業で建物構造材３０の内部に挿入し、取付具９０を建物構造材１００に結合する。工具でさらに取付具９０を回転させてねじ込み部９０Ｂを建物構造材１００の内部に挿入したときにおける頭部９０Ａからの締付力は、防水部材２１を介してフランジ部８７が建物構造材１００に当接している締付力受け部材８２によって受けられる。
【００５８】
また、建物構造材１００と締付力受け部材８２のフランジ部８７との間には防水部材２１が配置されているため、ねじ込み部９０Ｂがねじ込まれた建物構造材１００の穴に雨水等の水分が侵入するのを防止できる。
【００５９】
図１０は、建物構造材１００とサイディング３３との間の隙間３４において、締付力受け部材８２の筒部８６の外周に厚肉リング状のバックアップ部材１１０を設け、このバックアップ部材１１０によりサイディング３３の貫通孔３３Ａに充填されたシーリング材４０をバックアップするようにした実施形態を示す。
【００６０】
この実施形態によると、サイディング３３の貫通孔３３Ａにシーリング材４０を充填するとき、シーリング材４０が建物構造材１００とサイディング３３との間の隙間３４に流出してしまうのをバックアップ部材１１０で防止でき、貫通孔３３Ａにシーリング材４０を過不足なく充填できる。
【００６１】
バックアップ部材１１０は、例えば、多孔質の柔軟材料からなり、取付具９０の後端部の頭部９０Ａを工具で回転させてサイディング３３側へ連結具１３を締め付ける前に、予め締付力受け部材８２の筒部８６の外周に嵌合させておいたバックアップ部材１１０を圧縮変形させてサイディング３３の貫通孔３３Ａに押し込むことにより、このバックアップ部材１１０を隙間３４に配置することができる。
【００６２】
なお、図１０にはバックアップ部材１１０の他に防水部材２１が用いられているが、一部が建物構造材１００に接触するバックアップ部材１１０を防水性を有するものとすることにより、バックアップ部材１１０が防水部材を兼ねるものとしてもよい。
【００６３】
また、図１０の実施形態の建物構造材１００は取付具９０が貫通しないものであったが、建物構造材が図２で示された建物構造材３０であって、この建物構造材３０の貫通孔３０Ａに図２及び図４で示した取付具２０が挿通結合される場合にも、バックアップ部材１１０を用いることができる。この場合におけるバックアップ部材１１０も防水性を有するものとし、隙間３４に圧縮状態で配置されるバックアップ部材１１０の一部をバックアップ部材１１０の弾性変形で建物構造材３０に接触させることにより、バックアップ部材１１０を図２で示した防水部材２１を兼ねるものとしてもよい。
【００６４】
【発明の効果】
本発明によると、建物付設物側の部材を取付具に締付結合するための締付力を充分大きくして締付作業を行えるという効果を得られる。
【図面の簡単な説明】
【図１】建物付設物であるバルコニの全体を示す側面図である。
【図２】図１の一部拡大断面図である。
【図３】図２のＳ３−Ｓ３線断面図である。
【図４】図２で示されている取付具と防水部材と締付力受け部材の分離時における状態を示す斜視図である。
【図５】長さ寸法が調節自在となっている実施形態の締付力受け部材を示す図である。
【図６】長さ寸法が調節自在となっている別実施形態の締付力受け部材を示す図である。
【図７】筒部の一方の端部のみにフランジ部が設けられた締付力受け部材を用いている実施形態を示す図２と同様の図である。
【図８】図７で示された締付力受け部材を拡大して示す図である。
【図９】種類が異なる取付具が用いられた実施形態を示す図２と同様の図である。
【図１０】バックアップ部材が用いられた実施形態を示す図２と同様の図である。
【符号の説明】
１  建物付設物であるバルコニ
１３  バルコニ側の部材である連結具
２０，９０  取付具
２１  防水部材
２２、６２，７２，８２  締付力受け体である締付力受け部材
２３  取付具の本体
２４  取付具の係止部材
２５  ナット
２６，６３Ａ，６４Ａ，７３Ａ，７４Ａ，８６  締付力受け部材の筒部
２７，２８，６３Ｂ，６４Ｂ，７３Ｂ，７４Ｂ，８７  締付力受け部材のフランジ部
３０，１００  建物構造材
３３  建物表面材であるサイディング
３４  隙間
４０  シーリング材
１１０  バックアップ部材
【図１】
0004754128.tif 000002
【図２】
0004754128.tif 000003
【図３】
0004754128.tif 000004
【図４】
0004754128.tif 000005
【図５】
0004754128.tif 000006
【図６】
0004754128.tif 000007
【図７】
0004754128.tif 000008
【図８】
0004754128.tif 000009
【図９】
0004754128.tif 000010
【図１０】
0004754128.tif 000011